(57)【特許請求の範囲】
【請求項１】
ケ−ブルテレビ放送網とケ−ブルテレビ利用電話網とからなるケ−ブルテレビ網を使用するシステムであって、
前記ケ−ブルテレビ利用電話網の一端には、複数の電話機とカラオケ端末が、他端には楽曲データベースがそれぞれ接続され、前記ケ−ブルテレビ利用電話網は交換機を備え前記電話機同士を選択的に接続して通話させるとともに、前記各通信カラオケ端末を前記楽曲データベースに接続し、前記通信カラオケ端末にはテレビ装置を接続可能とし、
ケ−ブルテレビ放送網の一端には多数の受信用端末のセットトップボックスが、他端には送信用の有線放送局がそれぞれ接続され、前記セットトップボックスは前記通信カラオケ端末及び前記テレビ装置とは互いに近い位置に配置されてこのテレビ装置に接続され、
前記楽曲データベースの楽曲データは、ＭＩＤＩデータとその組となる歌詞データとから構成され、前記有線放送局は複数の放送局と複数の背景画像局からなり、
前各通信カラオケ端末は前記楽曲データベースに接続し、ＭＩＤＩデータと歌詞データを受信して、演奏曲が前記テレビ装置のスピーカから鳴るとともに、歌詞データが表示部に映し出され、
前記セットトップボックスには赤外線を受けて電気信号に変換する受光部が設けられ、チャンネルリモコンからの赤外線によりチャンネル切り替えが行われて選択的に前記有線放送局のうち１チャンネルがテレビ装置に表示されるケーブルテレビ網を利用した通信カラオケシステムにおいて、
前記曲データベースの前記楽曲データを前記ＭＩＤＩデータと前記歌詞データと当該曲のイメージを示すジャンルコードとから構成し、
前記複数の背景画像局を前記ジャンルコードに対応して区別し、前記チャンネルリモコンにはこのジャンルコードを指定する文字キーを備え、
前記通信カラオケ端末には前記曲データベースから受信した前記楽曲データのジャンルコードを外部に伝達するケーブルを設け、このケーブルの先端には弾性吸盤に保持され当該ジャンルコードを赤外線信号に変換する発光素子を設け、この発光素子を前記セットトップボックスの前記受光部に重ねるように前期弾性吸盤により貼り付けて、
前記ジャンルコードを前記ケーブルと発光素子と受光部とを介して前記セットトップボックスに伝達し、このジャンルコードにしたがってセットトップボックスが背景画像局を選択して、リクエスト曲のジャンルに合った背景画像をテレビ装置に表示することを特徴とするケーブルテレビ網を利用した通信カラオケシステム。
【発明の詳細な説明】
【０００１】
【発明の属する技術分野】
本発明は、カラオケの背景となる映像データをケーブルテレビ網を利用して入手する通信カラオケシステムに関する。
【０００２】
【従来の技術】
通信カラオケ装置では、リクエストされた曲のメロデイーをスピーカーから演奏するとともに、表示装置には、歌詞や曲に合った風景や人物の背景映像（ＢＧＶ映像）を映し、更に歌詞の文句を文字として表示装置にスーパーインポーズしている。
リクエストされた曲は、その都度公衆回線やＩＳＤＮ回線の先にあるデータベースのホスト基地局から送られてくる。
一方背景映像は、ホスト基地局から静止画像（スチール画）を公衆回線等を介して受信するか、カラオケ店に設置しているＬＤプレイヤーを使用し、備え付けのレーザーディスク（ＬＤ盤）から曲のイメージに適したものをプログラム上で選択して読み出し、表示している。
【０００３】
【発明が解決しようとする課題】
従来のＢＧＶ映像は、コスト軽減のため、静止画像しかできなかった。
またＬＤ盤、ＣＤ−ＲＯＭ、ＶｉｄｅｏＣＤ等を使用する場合のＢＧＶ映像は、ＬＤ盤等のストックには店内のスペースやコストの面から限りがあるので、曲数に較べて場面映像数が少なくなり、別のリクエスト曲でも同じ映像が出てくることになり、見た目に飽きがくるという問題があった。
ＣＡＴＶカラオケサービスでは、１曲が１ＣＨを占有してしまうので、リアルタイム・オンデイマンド等のサービスは不可能である。
この発明では、曲の変化に対応して出来るかぎり多様なＢＧＶ映像を表示することを目的としている。
【０００４】
この発明は、ケ−ブルテレビ放送網２とケ−ブルテレビ利用電話網３とからなるケ−ブルテレビ網１を使用するシステムであって、前記ケ−ブルテレビ利用電話網３の一端には、複数の電話機１６とカラオケ端末４が、他端には楽曲データベース５がそれぞれ接続され、前記ケ−ブルテレビ利用電話網３は交換機を備え前記電話機同士を選択的に接続して通話させるとともに、前記各通信カラオケ端末４を前記楽曲データベース５に接続し、前記通信カラオケ端末４にはテレビ装置６を接続可能とし、ケ−ブルテレビ放送網２の一端には多数の受信用端末のセットトップボックス９が、他端には送信用の有線放送局１０がそれぞれ接続され、前記セットトップボックス９は前記通信カラオケ端末４及び前記テレビ装置６とは互いに近い位置に配置されてこのテレビ装置６に接続され、前記楽曲データベース５の楽曲データは、ＭＩＤＩデータとその組となる歌詞データとから構成され、前記有線放送局１０は複数の放送局１１と複数の背景画像局１２からなり、前各通信カラオケ端末４は前記楽曲データベース５に接続し、ＭＩＤＩデータと歌詞データを受信して、演奏曲が前記テレビ装置６のスピーカ８から鳴るとともに、歌詞データが表示部７に映し出され、前記セットトップボックスには赤外線を受けて電気信号に変換する受光部２５が設けられ、チャンネルリモコン１５からの赤外線によりチャンネル切り替えが行われて選択的に前記有線放送局１０のうち１チャンネルがテレビ装置６に表示されるケーブルテレビ網を利用した通信カラオケシステムにおいて、前記曲データベースの前記楽曲データを前記ＭＩＤＩデータと前記歌詞データと当該曲のイメージを示すジャンルコードとから構成し、
前記複数の背景画像局１２を前記ジャンルコードに対応して区別し、前記チャンネルリモコン１５にはこのジャンルコードを指定する文字キーＫを備え、前記通信カラオケ端末には前記曲データベースから受信した前記楽曲データのジャンルコードを外部に伝達するケーブルを設け、このケーブルの先端には弾性吸盤に保持され当該ジャンルコードを赤外線信号に変換する発光素子２４を設け、この発光素子２４を前記セットトップボックスの前記受光部２５に重ねるように前期弾性吸盤２６により貼り付けて、
前記ジャンルコードを前記ケーブルと発光素子２４と受光部２５とを介して前記セットトップボックスに伝達し、このジャンルコードにしたがってセットトップボックスが背景画像局を選択して、リクエスト曲のジャンルに合った背景画像をテレビ装置に表示することを特徴とする。
【０００５】
【発明の実施の形態】
以下、本発明の実施例をケ−ブルテレビ網上の通信カラオケシステムとして説明する。
図１において、ケ−ブルテレビ網１は、本来のケ−ブルテレビ放送網２と、低料金のために後から実用化されたケ−ブルテレビ利用電話網３とからなり、ケ−ブルテレビ利用電話網３には、一般の電話機１６とカラオケ端末４と楽曲データベース５とが接続されている。
電話機１６は電話加入者の数だけあり多数を占め、カラオケ端末４は購入者の数だけあり比較的に多数あり、楽曲データベース５は広い地域地に１か所程度設ける。
【０００６】
ケ−ブルテレビ利用電話網３は図示しないが、交換機を備え一般の電話機同士を選択的に接続して通話させる。
通信カラオケ端末４は、市販のメディアボックスＸ−５５等が該当し、楽曲データベース５に対してケ−ブルテレビ利用電話網３により、電話機１６と同様に選択的に接続される。
【０００７】
通信カラオケ端末４にはテレビ装置６が常時接続され、動作時には、カラオケ用の演奏曲がスピーカ８から鳴り、背景画像は表示部７に映し出される。
ケ−ブルテレビ放送網２には、多数の受信用端末のセットトップボックス９と送信用の有線放送局１０とが接続される。
映画等の受信用セットトップボックス９はケ−ブルテレビ加入者の数だけあり多数を占め、有線放送局１０は広い地域地に１か所程度設けられる。
【０００８】
有線放送局１０は例えば１００局程の民間放送局１１と、他に複数の背景画像局１２からなり、これらはチャンネルを異にして常時並列にケ−ブルテレビ放送網２に有線放送されている。
ケ−ブルテレビ網１の管理者は、楽曲データベース５と有線放送局１０とをともに管理する。
実施例では、図２において、同一のケ−ブルテレビ加入者がケ−ブルテレビ利用電話網３の電話加入者でもあり、同一部屋の互いに近い位置に通信カラオケ端末４とテレビ装置６とセットトップボックス９が配置されている。
【０００９】
通信カラオケ端末４はリモコン１３により制御され、曲のリクエストが入力され、またマイク１４が通信カラオケ端末４には接続され、歌い手はマイク１４に向かって歌うことになる。
セットトップボックス９も専用のチャンネルリモコン１５により制御され、チャンネル切り替えが行われる。
リモコン１３とチャンネルリモコン１５は、赤外線により通信カラオケ端末４とセットトップボックス９とを夫々制御する。
【００１０】
さて、楽曲データベース５の曲データは、ＭＩＤＩデータとその組となる歌詞データ及びジャンルコードとから構成される。
ジャンルコードは曲データを予めその種類によって、例えば演歌、ポップス、フォーク、ニューミュージック等に分類ししたものである。
例えば歌が”旅の夜風”なら演歌を示すコードＫを、ホップスの”ニャリニャリ”ならＨ、フォークの”神田川”ならＦ、ニューミュージックの”ガリガリ”ならＧの各コードをそのＭＩＤＩデータに夫々付与している。
【００１１】
セットトップボックス９も専用のチャンネルリモコン１５は放送用の数字キー１、２、３・・・等と、その外にコードチャンネル用の文字キーＫ、Ｈ、Ｆ、Ｇ等を備え、放送数字チャンネルと同様に、曲のジャンル別に従った背景画像の選択を切り替えることが可能である。
背景画像局１２は各ジャンルコードＫ、Ｈ、Ｆ、Ｇ等に対応する動画データを各種備え、常時曲のジャンルコードＫ、Ｈ、Ｆ、Ｇ等対応の動画を放送している。
【００１２】
さて、図２において、通信カラオケ端末４の背面には外部端子２１が設けられ、外部端子２１にはインターフェースカード２２が接続されている。
インターフェースカード２２からは信号ケーブル２３が伸びており、信号ケーブル２３の先端には発光素子２４が接続されている。
【００１３】
セットトップボックス９の正面には受光部２５が設けられ、チャンネルリモコン１５からの赤外線信号を受信する。
信号ケーブル２３の発光素子２４は、セットトップボックス９の受光部２５に重なるように（図２の矢印および破線で表示）、弾性吸盤２６により表面に貼り付けられる。
外部端子２１、インターフェースカード２２、ケーブル２３、発光素子２４、弾性吸盤２６は信号伝達手段２７を構成する。
【００１４】
図３において、弾性吸盤２６は透明であり、弾性吸盤２６の面積は受光部２５の面積より大きく、受光部２５の面積は発光素子２４の面積より大きい。
チャンネルリモコン１５からの赤外線信号（点線で表示）は、発光素子２４外方の弾性吸盤２６を透過して、受光部２５に入射できる。
【００１５】
通信カラオケ端末４はケ−ブルテレビ利用電話網２からＭＩＤＩデータ等とともにジャンルコードを受信すると、該当するコード信号Ｋ等を外部端子２１を介しインターフェースカード２２から信号ケーブル２３に出力する。
コード信号Ｋ等に基づき発光素子２４は赤外線信号を発生し、この赤外線信号は対面する受光部２５に照射される。
発光素子２４からの赤外線信号（実線で表示）は、チャンネルリモコン１５からの赤外線信号と同質であり、セットトップボックス９を制御して、ジャンルコードの切り替えを行う。
【００１６】
さて、通信カラオケ端末４のユーザーが１３を使用して、希望歌をリクエスト（曲番号を送る）すると、リクエスト信号により、通信カラオケ端末４はケ−ブルテレビ網１のケ−ブルテレビ利用電話網２を介して曲データベース５に接続される。
そして、リクエスト曲のＭＩＤＩデータと歌詞データおよびジャンルコードとがケ−ブルテレビ利用電話網２を介して通信カラオケ端末４に送られてくる。
【００１７】
通信カラオケ端末４ではＭＩＤＩデータを解凍して、かつ歌詞データを文字化してテレビ装置６に送る。
次に、解凍されたＭＩＤＩデータはスピーカ８から曲の演奏を開始する。
更に、通信カラオケ端末４はケ−ブルテレビ利用電話網２からジャンルコードを受信するので、該当するコード信号Ｋ等を外部端子２１を通しインターフェースカード２２から信号ケーブル２３に出力する。
【００１８】
コード信号Ｋ等により発光素子２４は赤外線信号を発生し、赤外線信号は受光部２５に照射される。
発光素子２４からの赤外線信号は、セットトップボックス９を制御して、ジャンルコード対応の背景画像局１２を選択する。
【００１９】
ケ−ブルテレビ放送網３では常時背景画像局１２が放送されているので、セットトップボックス９はリクエスト曲のジャンルコード対応の背景画像を選択して受信する。
演奏曲の情景にマッチした背景画像が、テレビ装置６に送られ表示部７に表示され、ユーザーは楽しく歌うことができる。
【００２０】
順序では楽曲データベース５から曲データのＭＩＤＩデータと歌詞データおよびジャンルコードが到着した後に、有線放送局１０の背景画像局１２からジャンルコード対応の背景画像が受信されるるが、ＭＩＤＩデータを解凍して演奏するのは、人間の感覚の速度で実行されるので、表示部７上の背景画像の表示とスピーカ８からの演奏とは、電子動作上では殆ど同時に実行される。
【００２１】
【発明の効果】
以上説明してきたように、この発明によれば、都市型ＣＡＴＶ網（加入者：３００万人）を利用して、イメージに合った背景画像付きカラオケサービスを、豊富に簡易に、低コストで、実現できる。
ＬＤ盤を大量にストックするのではないので、省スペースであり、ＢＧＶ映像が増大する割りにはコストも最小限に押さえられる。
【図面の簡単な説明】
【図１】本発明のケーブルテレビ網を利用した通信カラオケシステムの全体構成図である。
【図２】本発明のケーブルテレビ網を利用した通信カラオケシステムの要部の斜視図である。
【図３】本発明のケーブルテレビ網を利用した通信カラオケシステムの更に細部の構成図である。
【符号の説明】
１  ケ−ブルテレビ網
２  ケ−ブルテレビ放送網
３  ケ−ブルテレビ利用電話網
４  カラオケ端末
５  楽曲データベース
６  テレビ装置
７  表示部
８  スピーカ
９  セットトップボックス
１０  有線放送局
１１  民間放送局
１２  背景画像局
１３  リモコン
１４  マイク
１５  チャンネルリモコン
１６  電話機
２１  外部端子
２２  インターフェースカード
２３  信号ケーブル
２４  発光素子
２５  受光部
２６  弾性吸盤
２７  信号伝達手段
【図１】
0003876043.tif 000002
【図２】
0003876043.tif 000003
【図３】
0003876043.tif 000004